【手続補正書】
【提出日】平成16年2月10日(2004.2.10)
【手続補正１】
【補正対象書類名】特許請求の範囲
【補正対象項目名】全文
【補正方法】変更
【補正の内容】
【特許請求の範囲】
【請求項１】
試料を作成する反応容器であって、特に、溶液中に存在するあるいは液体状の物質の結晶を作成する反応容器であって、
それぞれ個々にガスチャンバを形成している多数の反応室（６）を具備し、
前記多数の反応室（６）が、同一に形成されると共に、少なくとも１つのハウジング部分によって形成されており、
それぞれの反応室（６）が、タンク（７）および該タンク（７）と協働するガス交換のための整列された複数の反応領域（８、１５）を有し、該複数の反応領域（８、１５）は、相互に、また、タンク（７）と連通されていて、
前記タンク（７）、および、これと協働する前記反応領域（８、１５）が、それぞれ互いに平行な列に、予め定められた同一の間隔で配置されると共に、それぞれ互いに隣接するような前記タンク（７）の列に互いに同じ距離を隔てて配置されているようにした反応容器において、
前記タンク（７）および前記反応領域（８、１５）が、それぞれ、直接隣接するよう列に配置され、および、それぞれ直接隣接する反応室（６）が、共通の容器壁（５）によって互いに分離されているようにした反応容器。
【請求項２】
前記反応室（６）の容器底部（４）の下側（２３）が、支持面（１３）に平行な面によって接触されている請求項１に記載の反応容器。
【請求項３】
前記タンク（７）のそれぞれ相前後する列が、所定の間隔を隔てて互いに配置されている請求項１または２のいずれかに記載の反応容器。
【請求項４】
２つの互いに相前後する列であるそれぞれ互いに隣接配置された前記タンク（７）が、所定の同じ間隔を有して前記列の方向に同一の方向に互いに配置されている前述の請求項１から３のいずれか一項に記載の反応容器。
【請求項５】
前記タンク（７）が、矩形状の格子に配置されている前述の請求項１から４のいずれか一項に記載の反応容器。
【請求項６】
容器部分として、前記反応室（６）に配分される前記容器下方部分（２）の少なくとも１つのほぼ板状のハウジング下方部分（１９）と、および、前記容器底部（４）の前記下方部分（２３）の方向に前記ハウジング下方部分（１９）の上側（２２）の縁（２１）から側方に伸びているフレーム（２０）を有している前述の請求項１から５のいずれか一項に記載の反応容器。
【請求項７】
前記容器下方部分（２）が、少なくとも１つのタンク（７）および少なくとも１つの反応領域（８）を備えている前述の請求項１から６のいずれか一項に記載の反応容器。
【請求項８】
前記容器下方部分（２）に、３つ以上の反応領域（８）を備えている前述の請求項１から７のいずれか一項に記載の反応容器。
【請求項９】
前記タンク（７）および前記反応領域（８、１５）が、液体の収容のために設けられている前述の請求項１から８のいずれか一項に記載の反応容器。
【請求項１０】
前記容器下方部分（２）の前記反応領域（８）が、タンク（７）における容器底部（４）の上の５ｍｍ〜１０ｍｍの範囲の高さ（１１）に配置されている前述の請求項１から９のいずれか一項に記載の反応容器。
【請求項１１】
前記容器下方部分（２）の前記反応領域（８）が、５マイクロリットルよりも小さな容積の凹部によって形成されている前述の請求項１から１０のいずれか一項に記載の反応容器。
【請求項１２】
前記凹部が、板状の正方形を備えた直方体あるいは円筒板形状に形に構成されている前述の請求項１から１１のいずれか一項に記載の反応容器。
【請求項１３】
前記凹部の底部が、少なくともほぼ凸形状に湾曲されている前述の請求項１から１２のいずれか一項に記載の反応容器。
【請求項１４】
前記支持面（１３）の平面図において、前記ハウジング下方部分（１９）の前記反応領域（８）の列が、それぞれ前記タンク（７）の列の付近に配置されている前述の請求項１から１３のいずれか一項に記載の反応容器。
【請求項１５】
前記支持面（１３）に平行な面に関する前記タンク（７）の断面が、矩形である前述の請求項１から１４のいずれか一項に記載の反応容器。
【請求項１６】
前記ハウジング下方部分（１９）のフレーム（２０）および前記反応室（６）の配置が、マイクロ滴定板の標準の大きさに従って形成されている前述の請求項１から１５のいずれか一項に記載の反応容器。
【請求項１７】
前記ハウジング下方部分（１９）に、所定の数の反応室（６）が形成され、その際Ｎを自然数としたとき、前記数が、数式３×２Nで形成されている群の数から選択されている前述の請求項１から１６のいずれか一項に記載の反応容器。
【請求項１８】
前記ハウジング下方部分（１９）が、光透過性のプラスチックから形成されている前述の請求項１から１７のいずれか一項に記載の反応容器。
【請求項１９】
ハウジング部分として、少なくともほぼカバー状の容器カバー（２５）が、下側（２８）に溝（２９）を備えるように形成され、および、前記溝（２９）によって少なくとも１つの反応領域（１５）を備えた容器上方部分（３）が制限される前述の請求項１から１８のいずれか一項に記載の反応容器。
【請求項２０】
前記下側（２８）の縁（２７）に前記容器カバー（２５）が前記下側（２８）に存在するフレーム（２６）を有している前述の請求項１から１９のいずれか一項に記載の反応容器。
【請求項２１】
前記容器上方部分（３）が、多数の反応領域（１５）を備えている前述の請求項１から２０のいずれか一項に記載の反応容器。
【請求項２２】
前記容器上方部分（３）が、２つの反応領域（１５）を備えている前述の請求項１から２１のいずれか一項に記載の反応容器。
【請求項２３】
前記容器上方部分（３）の前記反応領域（１５）が、液体の収容のために形成されている前述の請求項１から２２のいずれか一項に記載の反応容器。
【請求項２４】
前記容器上方部分（３）の前記反応領域（１５）が、凹部によって形成されている前述の請求項１から２３のいずれか一項に記載の反応容器。
【請求項２５】
前記容器上方部分（３）の前記凹部が、円筒板形状にあるいは板状の正方形を備えた直方体によって形成されている前述の請求項１から２４のいずれか一項に記載の反応容器。
【請求項２６】
前記容器上方部分（３）の前記凹部が、５マイクロリットルよりも小さな容積の凹部によって形成されている前述の請求項１から２５のいずれか一項に記載の反応容器。
【請求項２７】
反応領域（１５）の底部を形成している前記容器上方部分（３）の前記凹部が、前記凹部に関して少なくともほぼ球状に湾曲している前述の請求項１から２６のいずれか一項に記載の反応容器。
【請求項２８】
前記支持面（１３）の平面図において、前記容器カバー（２５）の反応領域（１５）の前記列が、それぞれ、場合によっては存在する前記ハウジング下方部分（１９）の前記反応領域（８）の列の付近に位置している前述の請求項１から２７のいずれか一項に記載の反応容器。
【請求項２９】
前記容器カバー（２５）の前記フレーム（２６）および前記容器上方部分（３）の配置が、マイクロ滴定板の標準の大きさに従って形成されている前述の請求項１から２８のいずれか一項に記載の反応容器。
【請求項３０】
前記容器カバー（２５）において、所定の数の容器上方部分（３）が形成され、その際Ｎを自然数としたとき、前記数が、数式３×２Nで形成されている群の数から選択されている前述の請求項１から２９のいずれか一項に記載の反応容器。
【請求項３１】
前記容器カバー（２５）が、光透過性のプラスチックから形成されている前述の請求項１から３０のいずれか一項に記載の反応容器。
【請求項３２】
前記容器カバー（２５）に関して、前記反応領域（１５）から離れている面にマスク（１７）が形成され、および、前記マスク（１７）が、前記支持面（１３）の平面図において前記反応領域（１５）を光遮断面によって取り囲んでいる前述の請求項１から３１のいずれか一項に記載の反応容器。
【請求項３３】
前記反応室（６）が、規則正しい６角形の基底面を備えたプリズムの形状に形成されている前述の請求項１から３２のいずれか一項に記載の反応容器。
【請求項３４】
前記反応領域（８、１５）が、容器状に形成され、および、それぞれ２つが共通の壁（１２）によって互いに分離されている前述の請求項１から３３のいずれか一項に記載の反応容器。
【請求項３５】
試料を作成する容器カバーであって、特に、下側に多数の反応領域を用いて溶液中に存在するあるいは液体状の物質の結晶を作成するための容器カバーであって、反応領域（１５）が、それぞれ所定の間隔を備えた列に配置されているものにおいて、
前記列が、互いに平行に配置され、かつ、前記反応領域（１５）が、凹部によって形成されている容器カバー。
【請求項３６】
前記反応領域（１５）が、同じ間隔の列に配置されている請求項３５に記載の容器カバー。
【請求項３７】
前記反応領域（１５）が、直接隣接する列に配置されている請求項３５あるいは請求項３６のいずれか一項に記載の容器カバー。
【請求項３８】
前記下側（２８）の縁（２７）に前記下側（２８）に存在するフレーム（２６）が、形成されている請求項３５から３７のいずれか一項に記載の容器カバー。
【請求項３９】
前記下側（２８）に溝（２９）が形成され、前記溝（２９）によって少なくとも１つの前記反応領域（１５）を備えた容器上方部分（３）が制限される請求項３５から３８のいずれか一項に記載の容器カバー。
【請求項４０】
前記反応領域（１５）が、液体の収容のために形成されている請求項３５から３９のいずれか一項に記載の容器カバー。
【請求項４１】
前記凹部が、円筒板状に形成されている請求項３５から４０のいずれか一項に記載の容器カバー。
【請求項４２】
前記凹部が、５マイクロリットルよりも小さな範囲の容積を有するように形成されている請求項３５から４１のいずれか一項に記載の容器カバー。
【請求項４３】
前記凹部の底部が、少なくともほぼ凸形状に湾曲されている請求項３５から４２のいずれか一項に記載の容器カバー。
【請求項４４】
フレーム（２６）および容器上方部分（３）の配置が、マイクロ滴定板の標準の大きさに従って形成されている請求項３５から４３のいずれか一項に記載の容器カバー。
【請求項４５】
所定の数の容器上方部分（３）が形成され、その際Ｎを自然数としたとき、前記数が、数式３×２Nで形成されている群の数から選択されている請求項３５から４４のいずれか一項に記載の容器カバー。
【請求項４６】
前記材料が、光透過性のプラスチックである請求項３５から４５のいずれか一項に記載の容器カバー。
【請求項４７】
前記反応領域（１５）から離れている面にマスク（１７）が形成され、および、前記マスク（１７）が、前記支持面（１３）の平面図において前記反応領域（１５）を光遮断面によって取り囲んでいる請求項３５から４６のいずれか一項に記載の容器カバー。
【手続補正２】
【補正対象書類名】明細書
【補正対象項目名】０００１
【補正方法】変更
【補正の内容】
【０００１】
この発明は、試料を作成する反応容器に関し、特に、それぞれ個々にガスチャンバを形成している多数の反応室を用いて溶液中のあるいは液体状の物質の結晶を作成する反応容器に関し、これらの反応室は、少なくとも１つのハウジング部分によって形成されており、および、それぞれの反応室は、タンクおよびこれと協働する相互の気体の交換のためのおよび前記タンクに接続された反応領域を有している。
【手続補正３】
【補正対象書類名】明細書
【補正対象項目名】００１２
【補正方法】変更
【補正の内容】
【００１２】
この発明の課題は、試料を作成する反応容器であって、特に、それぞれ個々にガスチャンバを形成している多数の反応室を用いて溶液中に存在するあるいは液体状の物質の結晶を作成する反応容器であって、これらの反応室は、少なくとも１つのハウジング部分によって形成されており、および、それぞれの反応室は、タンクおよびこれと協働する相互の気体の交換のためのおよびタンクに接続された反応領域を有しているようにした反応容器において、前記タンクおよびこれと協働する反応領域が、それぞれ、あらかじめ定められた同一の間隔で直接隣接するよう列に配置され、前記配置は互いに平行に設けられるとともに前記タンクそれぞれの列が反応領域の少なくとも１つの列と協働させられることによって達成される。
【手続補正４】
【補正対象書類名】明細書
【補正対象項目名】００３３
【補正方法】変更
【補正の内容】
【００３３】
この発明の課題は、それぞれ個々にガスチャンバを形成している多数の反応室を用いて試料、特に溶液中のあるいは液体状の物質の結晶を作成する反応容器であって、これらの反応室は、少なくとも１つのハウジング部分によって形成されており、および、それぞれの反応室は、タンクおよび多数のこれと協働する相互の気体の交換のためのおよびタンクに接続された反応領域を有しているようにした反応容器において、反応室が規則正しく矩形である底面を備えたプリズムの形の反応室が形成され、および、この反応室がハニカム状に配置されているという独自性により解決される。反応室の規則正しく矩形である底面によって、反応室の充填における失敗の確立を小さくすることができる。同じ面形状において、すなわち、面の点から六角形のもっとも近くの縁までの距離は、常に正方形のそれよりも大きい。反応室断面のハニカム状の構成は、従って、大きな許容誤差を与える。
【手続補正５】
【補正対象書類名】明細書
【補正対象項目名】００５６
【補正方法】変更
【補正の内容】
【００５６】
反応容器１は反応の実行のために設けられており、タンク７に存在する試薬と反応領域８および１５に存在する試料との間にガス交換が実行されなければならない。このような反応は、例えば、結晶化溶液から蒸気拡散への結晶の作成である。結晶化溶液中に溶解された試料からの反応領域８および１５への滴の位置決めにおいて、タンク７内に存在する結晶化溶液とのガス交換によって生じる濃度移動が、結晶の形成を行うことになる。